(57)【要約】【課題】周辺の建物の有無やレイアウトの変更等にかかわらず、簡便に詳細な位置情報を取得する。【解決手段】位置検出装置が、所定の視野角に表示画像を表示する表示装置によって表示される表示画像と、予め設置された表示装置によって表示画像が表示される視野角方向の位置を示す位置情報とを対応付けて記憶し、表示装置によって表示された表示画像が撮像された撮像画像の入力を受け付け、入力された撮像画像に含まれる表示画像に対応付けられた位置情報を読み出す。【選択図】図１
2013054010.tif 000002
【特許請求の範囲】
【請求項１】
所定の視野角に表示画像を表示する表示装置によって表示される前記表示画像と、予め設置された前記表示装置によって前記表示画像が表示される視野角方向の位置を示す位置情報とが対応付けられて記憶されている位置情報記憶部と、
前記表示装置によって表示された前記表示画像が撮像された撮像画像の入力を受け付ける入力部と、
前記入力部に入力された前記撮像画像に含まれる前記表示画像に対応付けられた前記位置情報を、前記位置情報記憶部から読み出す位置情報検出部と、
を備えることを特徴とする位置検出装置。
【請求項２】
前記位置情報記憶部には、複数の前記表示装置毎に異なる表示画像に、前記位置情報が対応付けられて記憶され、
前記入力部には、複数の前記表示装置によって表示された複数の前記表示画像が撮像された撮像画像が入力され、
前記位置情報検出部は、前記入力部に入力された前記撮像画像に含まれる複数の前記表示画像に対応付けられた前記位置情報を、前記位置情報記憶部から読み出し、読み出した複数の位置情報が示す位置の範囲が重なる部分を検出する
ことを特徴とする請求項１に記載の位置検出装置。
【請求項３】
前記入力部には、複数の前記表示装置によって表示された複数の前記表示画像が撮像された複数の撮像画像が入力される
ことを特徴とする請求項２に記載の位置検出装置。
【請求項４】
前記位置情報検出部は、前記入力部に入力された前記複数の撮像画像が撮像された撮像時刻の差が、所定の閾値を超える場合、前記位置情報を検出しない
ことを特徴とする請求項３に記載の位置検出装置。
【請求項５】
前記表示装置は、複数の表示画像を異なる視野角方向に向けて表示し、前記位置情報記憶部には、複数の前記表示画像毎に、前記位置情報が対応付けられて記憶されている
ことを特徴とする請求項１から請求項４までのいずれか１項に記載の位置検出装置。
【請求項６】
前記表示装置には時間毎に異なる表示画像が表示され、前記位置情報記憶部には、前記時間毎に表示される前記表示画像毎に、前記位置情報が対応付けられて記憶されている
ことを特徴とする請求項１から請求項５までのいずれか１項に記載の位置検出装置。
【請求項７】
前記位置情報記憶部には、前記表示画像に含まれる、当該表示画像を識別する識別情報に対応付けられて前記位置情報が記憶され、
前記位置情報検出部は、前記入力部に入力された前記撮像画像に含まれる前記表示画像に含まれる前記識別情報に対応付けられた前記位置情報を、前記位置情報記憶部から読み出す
ことを特徴とする請求項１から請求項６までのいずれか１項に記載の位置検出装置。
【請求項８】
前記位置情報記憶部には、前記表示画像の特徴量に対応付けられて前記位置情報が記憶され、
前記位置情報検出部は、前記入力部に入力された前記撮像画像に含まれる前記表示画像の特徴量を算出し、算出した当該特徴量に対応付けられた前記位置情報を、前記位置情報記憶部から読み出す
ことを特徴とする請求項１から請求項６までのいずれか１項に記載の位置検出装置。
【請求項９】
所定の視野角に表示画像を表示する表示装置によって表示される前記表示画像と、予め設置された前記表示装置によって前記表示画像が表示される視野角方向の位置を示す位置情報とが対応付けられて記憶されている位置情報記憶部と、前記表示装置によって表示された前記表示画像が撮像された撮像画像の入力を受け付ける入力部と、前記入力部に入力された前記撮像画像に含まれる前記表示画像に対応付けられた前記位置情報を、前記位置情報記憶部から読み出す位置情報検出部と、を備える位置検出装置に接続された撮像装置のコンピュータに、
前記表示装置によって表示された前記表示画像を撮像するステップと、
撮像した撮像画像を前記位置検出装置に送信するステップと、
を実行させるプログラム。
【発明の詳細な説明】
【技術分野】
【０００１】
本発明は、位置情報を取得する技術に関する。
【背景技術】
【０００２】
電子機器等の位置情報を取得する手段として、ＧＰＳ（Global Positioning System）が知られている。あるいは、特許文献１には、例えば無線ＬＡＮ（Local Area Network）等の通信を行う複数の無線端末を配置して、それらのビーコン信号の無線強度から位置情報を算出することが記載されている。
【先行技術文献】
【特許文献】
【０００３】
【特許文献１】特開２００８−１３１３０１号公報
【発明の概要】
【発明が解決しようとする課題】
【０００４】
しかしながら、ＧＰＳでは、屋内や地下、周辺に建物が存在する場所等においてはＧＰＳ衛星からの無線信号が正確に受信できず、位置精度が低くなるという問題がある。特許文献１による位置情報の算出では、無線強度が周辺の物の位置（レイアウト）等の変化に応じて変化するため、このような変化に応じて異なる位置が算出されるという問題がある。
【０００５】
本発明は、このような状況に鑑みてなされたもので、位置情報を取得する位置検出装置、プログラムを提供する。
【課題を解決するための手段】
【０００６】
上述した課題を解決するために、本発明は、所定の視野角に表示画像を表示する表示装置によって表示される表示画像と、予め設置された表示装置によって表示画像が表示される視野角方向の位置を示す位置情報とが対応付けられて記憶されている位置情報記憶部と、表示装置によって表示された表示画像が撮像された撮像画像の入力を受け付ける入力部と、入力部に入力された撮像画像に含まれる表示画像に対応付けられた位置情報を、位置情報記憶部から読み出す位置情報検出部と、を備えることを特徴とする位置検出装置である。
【０００７】
また、本発明は、所定の視野角に表示画像を表示する表示装置によって表示される表示画像と、予め設置された表示装置によって表示画像が表示される視野角方向の位置を示す位置情報とが対応付けられて記憶されている位置情報記憶部と、表示装置によって表示された表示画像が撮像された撮像画像の入力を受け付ける入力部と、入力部に入力された撮像画像に含まれる表示画像に対応付けられた位置情報を、位置情報記憶部から読み出す位置情報検出部と、を備える位置検出装置に接続された撮像装置のコンピュータに、表示装置によって表示された表示画像を撮像するステップと、撮像した撮像画像を位置検出装置に送信するステップと、を実行させるプログラムである。
【発明の効果】
【０００８】
以上説明したように、本発明によれば、位置情報を取得することができる。
【図面の簡単な説明】
【０００９】
【図１】本発明の一実施形態による位置検出システムの構成例を示すブロック図である。
【図２】本発明の一実施形態による表示装置の第１の表示画面例を示す図である。
【図３】本発明の一実施形態による表示装置の第２の表示画面例を示す図である。
【図４】本発明の一実施形態による表示装置と携帯端末との位置関係を示す図である。
【図５】本発明の一実施形態によるレンチキュラーディスプレイを模式的に示す図である。
【図６】本発明の一実施形態による複数の表示画像を異なる視野角方向に向けて表示する表示装置と携帯端末との位置関係を示す図である。
【図７】本発明の一実施形態による位置情報記憶部に記憶されている位置情報のデータ例を示す図である。
【図８】本発明の一実施形態による携帯端末の動作例を説明するフローチャートである。
【図９】本発明の一実施形態による位置検出装置の動作例を説明するフローチャートである。
【図１０】本発明の一実施形態による位置検出システムの構成例を示すブロック図である。
【図１１】本発明の一実施形態による位置情報記憶部に、時間に応じた位置情報が対応付けられて記憶されるデータ例を示す図である。
【発明を実施するための形態】
【００１０】
以下、本発明の一実施形態について、図面を参照して説明する。
図１は、本実施形態による位置検出システム１の構成を示すブロック図である。位置検出システム１は、表示装置１０−１、表示装置１０−２、・・・と、携帯端末２０と、位置検出装置３０とのコンピュータ装置を備えており、これらのコンピュータ装置がネットワーク５を介して接続されている。表示装置１０−１、表示装置１０−２、・・・は同様の構成であるので、特に区別しない場合には表示装置１０として説明する。ただし、ここでは複数の表示装置１０を示して説明するが、表示装置１０は１台でもよい。ここでは１台の携帯端末２０と１台の位置検出装置３０を示して説明するが、複数の携帯端末２０と複数の位置検出装置３０とを備えていてもよい。
【００１１】
ネットワーク５は、複数の表示装置１０と、携帯端末２０と、位置検出装置３０とを接続する有線または無線のネットワークである。例えば、ネットワーク５は、携帯端末２０と位置検出装置３０とを接続する無線ネットワークや、表示装置１０と位置検出装置３０とを接続するインターネット等のネットワークなどによって構成される。
【００１２】
表示装置１０は、定められた表示画像を表示するディスプレイである。例えば、表示装置１０には、広告画像や広告動画等の広告情報を表示するデジタルサイネージ（電子看板）と呼ばれるようなコンピュータ装置が適用できる。本実施形態では、表示装置１０は通信手段を備え、ネットワーク５を介して表示画像を受信して自身の記憶領域に記憶し、記憶した表示画像を表示する。例えば、表示装置１０は、ネットワーク５を介して接続された位置検出装置３０から、複数の表示画像と、その表示画像を表示する表示時間とが対応付けられた情報を予め受信して自身の記憶領域に記憶させておく。表示装置１０は、自身が備える計時機能から取得した現在時刻と、表示画像に対応付けられた表示時間とを比較し、現在時刻が表示時間を越えると判定すると、表示画像を読み出して表示する。ただし、表示装置１０は、位置検出装置３０から表示画像を受信すると、即時にその表示画像を表示するようにしてもよい。
【００１３】
図２は、表示装置１０が表示画像を表示した画面の例を示す図である。表示画像には、広告等の情報（ここでは、「１」の文字）が表示されるとともに、画面の一部に、その表示画像を識別する識別画像が表示される。この例では、画面の左下の箇所（符号ａ参照）に、識別画像としての二次元バーコードが表示されている。二次元バーコードには、表示画像を識別する画像ＩＤ（Identifier）が含まれる。このような二次元バーコードから画像ＩＤを検出することにより、表示装置１０に表示されている表示画像を識別できる。あるいは、表示画像の全体や表示画像の一部の特徴量を予め算出しておき、このような特徴量に基づいて表示画像を識別するようにしてもよい。例えば、図３に示すように、画面の左下の箇所（符号ａ参照）に表示されている識別画像である木の画像の特徴量を予め算出しておき、このような特徴量により表示画像を識別することもできる。特徴量としては、例えばＳＩＦＴ（Scale Invariant Feature Transform）やＳＵＲＦ（Speeded Up Robust Features）等が適用できる。ここでは、このように表示画像に識別画像を重畳させて表示させる例を示しているが、例えば広告情報の表示画像の一部の特徴量によって表示画像を識別することもできる。
【００１４】
表示装置１０は、このような表示画像を、指向性を持って所定の視野角に表示する。視野角とは、ユーザが表示装置１０を見た場合に、画像表示部１０から発せられた光をユーザが視認できる空間内の範囲、あるいは携帯端末２０の撮像機能によって撮像できる空間内の範囲をいう。本実施形態では、所定の視野角とは、例えば１０度〜１５度程度が想定される。例えば、図４は、表示装置１０−１と表示装置１０−２とにより表示される表示画像の視野角と、ユーザが所有する携帯端末２０との関係を示す図である。ここでは、複数の携帯端末２０（携帯端末２０−１、携帯端末２０−２、携帯端末２０−３）が存在するものとして説明する。以下、このように複数の携帯端末２０が存在しそれぞれを異なるものとして説明する場合には、携帯端末２０−１、携帯端末２０−２、・・・のように識別して説明する。
【００１５】
表示装置１０−１と表示装置１０−２とは、異なる画像ＩＤを示す二次元バーコードが含まれる表示画像を表示する。例えば、表示装置１０−１から表示される表示画像の視野角の範囲がＡであり、表示装置１０−２から表示される表示画像の視野角の範囲がＢである場合、携帯端末２０−１の位置においては、表示装置１０−１によって表示される表示画像と、表示装置１０−２によって表示される表示画像とが撮像できる。すなわち、携帯端末２０−１が、表示装置１０−１によって表示される表示画像と、表示装置１０−２によって表示される表示画像とを撮像できる場合、携帯端末２０−１は、視野角の範囲Ａと視野角の範囲Ｂとが交わる位置に存在すると判定できる。同様にして、表示装置１０−１によって表示される表示画像を撮像できるが、表示装置１０−２によって表示される表示画像を撮像できない携帯端末２０−２は、視野角の範囲Ａ内であるが視野角の範囲Ｂ外である位置に存在すると判定できる。表示装置１０−１によって表示される表示画像を撮像できず、表示装置１０−２によって表示される表示画像も撮像できない携帯端末２０−３は、視野角の範囲Ａと視野角の範囲Ｂとの外に存在すると判定できる。このように、表示装置１０が、定められた視野角の方向に表示画像を表示することにより、その表示画像を撮像した携帯端末２０の位置を特定することができる。
【００１６】
ここで、表示装置１０には、複数の表示画像を異なる視野角方向に向けて表示することが可能なディスプレイを適用することができる。例えば、表示装置１０には、レンチキュラーレンズを適用したレンチキュラーディスプレイを適用することができる。図５は、レンチキュラーディスプレイを模式的に示す図である。例えば、表示装置１０は液晶ディスプレイであるＬＣＤ（Liquid Crystal Display）１１を備えている。ＬＣＤ１１は、ａ１〜ｄ１、ａ２〜ｄ２、ａ３〜ｄ３、ａ４〜ｄ４、・・・等の発光素子を備えている。ＬＣＤ１１の前面にはレンチキュラーレンズ１２が設置される。レンチキュラーレンズ１２は、ＬＣＤ１１から射出された光を、凸型のレンズの角度に応じた視野角方向に屈折させる。これにより、例えば視野角方向Ａ１の範囲においてはａ１、ａ２、ａ３、ａ４の発行素子によって表示される画像のみが視認でき、視野角方向Ａ２の範囲においてはｃ１、ｃ２、ｃ３、ｃ４によって表示される画像のみが視認できる。これにより、例えば視野角方向Ａ１の範囲において携帯端末２０−１が表示装置１０の方向に向いて画像を撮像する撮像画像と、視野角方向Ａ２の範囲において携帯端末２０−２が表示装置１０の方向に向いて画像を撮像する撮像画像とを異ならせることができる。これにより、携帯端末２０が表示画像を撮像した詳細な位置を判定することができる。
【００１７】
例えば、図６は、複数の表示画像を異なる視野角方向に向けて表示する複数の表示装置１０と、ユーザが所有する携帯端末２０−１、携帯端末２０−２、携帯端末２０−３、携帯端末２０−４との関係を示す図である。ここで、表示装置１０−１と表示装置１０−２とは、表示装置１０毎、かつ視野角方向毎に異なる識別画像が含まれる表示画像を表示する。例えば、表示装置１０−１によっては、視野角方向Ａ１、視野角方向Ａ２、視野角方向Ａ３、視野角方向Ａ４の範囲にそれぞれ異なる表示画像が表示される。表示装置１０−２によっては、視野角方向Ｂ１、視野角方向Ｂ２、視野角方向Ｂ３、視野角方向Ｂ４の範囲にそれぞれ異なる表示画像が表示される。このとき、携帯端末２０−１の位置においては、表示装置１０−１によって視野角方向Ａ２の範囲に表示される表示画像と、表示装置１０−２によって視野角方向Ｂ３の範囲に表示される表示画像とが撮像できる。すなわち、携帯端末２０−１が、表示装置１０−１によって視野角方向Ａ２の範囲に表示される表示画像と、表示装置１０−２によって視野角方向Ｂ３の範囲に表示される表示画像とを撮像できる場合、携帯端末２０−１は、図に示す位置に存在すると判定できる。同様にして、携帯端末２０−２が、表示装置１０−１によって視野角方向Ａ３の範囲に表示される表示画像と、表示装置１０−２によって視野角方向Ｂ４の範囲に表示される表示画像とを撮像できる場合、携帯端末２０−２は、図に示す位置に存在すると判定できる。表示装置１０−１によって視野角方向Ａ３の範囲に表示される表示画像を撮像できるが、表示装置１０−２によって表示される表示画像を撮像できない携帯端末２０−３は、例えば図に示すような位置に存在すると判定できる。表示装置１０−１によって表示される表示画像を撮像できず、表示装置１０−２によって表示される表示画像も撮像できない携帯端末２０−４は、例えば図に示すような位置に存在すると判定できる。
【００１８】
図１に戻り、携帯端末２０は、撮像部２１と、送信部２２とを備えた撮像装置である。本実施形態では、携帯端末２０は、例えば携帯電話端末を適用するものとして説明するが、同様の機能を備えるものであれば、例えば通信機能を備えるデジタルカメラや、タブレットＰＣ（Personal Computer）、ノートＰＣ（Personal Computer）等を適用することもできる。
撮像部２１は、撮像素子を備え、定められた方向の撮像を行うカメラである。例えば、撮像部２１は、ユーザから携帯端末２０に入力される操作入力に応じて、表示装置１０によって表示された表示画像を撮像する。
送信部２２は、ネットワーク５を介して他のコンピュータ装置と通信する。例えば、送信部２２は、撮像部２１によって撮像された撮像画像を、位置検出装置３０に送信する。
【００１９】
位置検出装置３０は、ネットワーク５を介して携帯端末２０に接続されたコンピュータ装置である。位置検出装置３０は、位置情報記憶部３１と、受信部３２と、入力部３３と、位置情報検出部３４とを備えている。
位置情報記憶部３１には、所定の視野角に表示画像を表示する表示装置１０によって表示される表示画像と、予め設置された表示装置１０によって表示画像が表示される視野角方向の位置を示す位置情報とが対応付けられて記憶されている。
【００２０】
図７は、位置情報記憶部３１に記憶されている位置情報のデータ例を示す図である。ここでは、表示画像に埋め込まれた二次元バーコードによって示される画像ＩＤ毎に、その表示画像の視野角方向の範囲を示す位置情報が対応付けられて記憶されている。位置情報は、例えば図４に示した例のように、表示装置１０によって表示画像が表示される視野角方向の二次元方向の矩形範囲における４つの頂点の位置（ａ１、ｂ１、ｃ１、ｄ１）を示す。４つの頂点の位置は、例えば緯度、経度を示す数値情報によって示される。このような位置情報は、表示画像が表示される表示装置１０からの視野角方向の範囲が予め計測され、対応付けられて記憶されるものとする。ここでは、位置情報が画像ＩＤに対応付けられて記憶されているものとするが、表示画像の特徴量によって表示画像を識別する場合には、特徴量に位置情報を対応付けて記憶させることができる。
【００２１】
受信部３２は、携帯端末２０から送信される撮像画像を受信し、入力部３３に入力する。
入力部３３は、表示装置１０によって表示された表示画像が撮像された撮像画像の入力を受け付ける。例えば、表示装置１０によって表示された表示画像が携帯端末２０によって撮像され、携帯端末２０から送信される撮像画像が受信部３２によって受信され、入力部３３に入力される。このように、本実施形態では携帯端末２０から撮像画像が送信される例を説明するが、メモリーカードやＵＳＢ（Universal Serial Bus）メモリ等に記憶された撮像画像を読み出して入力してもよいし、ユーザからの操作に応じて選択された画像ファイルを入力するようにしてもよい。入力部３３に入力される撮像画像には、表示装置１０によって表示された少なくとも１つの表示画像が含まれる。ただし、複数の表示画像が含まれる１つの撮像画像が入力されてもよいし、１つの表示画像が含まれる複数の撮像画像が入力されてもよい。すなわち、入力部３３には、複数の表示装置１０によって表示された複数の表示画像が撮像された撮像画像が入力される。また、入力部３３には、複数の表示装置１０によって表示された複数の表示画像が撮像された複数の撮像画像が入力される。
【００２２】
位置情報検出部３４は、入力部３３に入力された撮像画像に含まれる表示画像に対応付けられた位置情報を、位置情報記憶部３１から読み出す。例えば、位置情報検出部３４は、入力部３３に入力された撮像画像に含まれる表示画像に含まれる二次元バーコードから、画像ＩＤを検出し、検出した画像ＩＤに対応付けられた位置情報を、位置情報記憶部３１から読み出す。ここで、入力部３３に、異なる表示画像が撮像された複数の撮像画像が入力された場合、または複数の表示画像が撮像された１つの撮像画像が入力された場合、位置情報検出部３４は、その複数の表示画像に対応する画像ＩＤに対応する複数の位置情報を読み出し、読み出した複数の位置情報が示す位置の範囲が重なる部分を検出する。例えば入力された撮像画像から、図６の例において表示装置１０−１から視野角方向Ａ２の範囲に表示された表示画像の画像ＩＤと、表示装置１０−２から視野角方向Ｂ３の範囲に表示された表示画像の画像ＩＤとを検出すれば、位置情報検出部３４は、視野角方向Ａ２を示す点ａ２、ｂ２、ｃ２、ｄ２によって特定される空間の範囲と、視野角方向Ｂ３を示す点ａ７、ｂ７、ｃ７、ｄ７によって特定される空間の範囲とが重なる部分を算出する。ここで、位置情報が表示画像の特徴量に対応付けられている場合、位置情報検出部３４は、入力部３３に入力された撮像画像に含まれる表示画像の特徴量を算出し、算出した特徴量に対応付けられた位置情報を、位置情報記憶部３１から読み出す。
【００２３】
次に、図面を参照して本実施形態による位置検出システム１の動作例を説明する。図８は、本実施形態による携帯端末２０の動作例を説明するフローチャートである。
ユーザが、携帯端末２０を携帯し、表示装置１０が設置された位置に行くと、携帯端末２０は、ユーザからの操作入力に応じて、表示装置１０によって表示されている表示画像を撮像する（ステップＳ１）。携帯端末２０の送信部２２は、撮像した撮像画像を位置検出装置３０に送信する（ステップＳ２）。
【００２４】
図９は、本実施形態による位置検出装置３０の動作例を説明するフローチャートである。位置検出装置３０の受信部３２は、携帯端末２０から送信された撮像画像を受信すると（ステップＳ１１）、入力部３３に入力する。入力部３３が撮像画像の入力を受け付けると、位置情報検出部３４は、入力された撮像画像に含まれる表示画像の二次元バーコードから画像ＩＤを検出する（ステップＳ１２）。位置情報検出部３４は、検出した画像ＩＤに対応する位置情報を、位置情報記憶部３１から読み出す（ステップＳ１３）。これにより、撮像画像を位置検出装置３０に送信した携帯端末２０は、ステップＳ１３において読み出された位置情報が示す位置に存在すると判定することができる。
【００２５】
このような位置検出システム１によれば、周辺の建物の有無やレイアウトの変更等にかかわらず、簡便に携帯端末２０の詳細な位置情報を取得することができる。このように取得した位置情報は、携帯端末２０を持ったユーザが、その位置にいたことを示すことにもなる。そこで、このように取得した位置情報に基づいて、例えばアンケートやクーポン等に応募することを許可するような処理を行うことができる。また、このように判定した位置情報に応じて、表示装置１０に表示する表示画像を変更することもできる。例えば、検出した携帯端末２０の位置に応じて、位置検出装置３０側からその携帯端末２０に情報を送信し、双方向のインタラクティブな情報通信を行うこともできる。例えば、ユーザが特定の位置にいるときに、そのユーザを、他の表示装置１０の位置に誘導するような処理を行うことができる。この場合、図１０に示すように、位置検出装置３０は、表示画像配信部３５を備える。表示画像配信部３５は、自身の記憶領域に表示画像を備え、位置情報検出部３４が検出した位置に応じて、自身の記憶領域から対応する表示画像を読み出し、特定の表示装置１０に表示画像を送信する。
【００２６】
例えば、なんらかのゲームシステムにおいて、ユーザが携帯端末２０を持って特定の表示装置１０が設置してある位置に行くと、携帯端末２０は、ユーザからの操作入力に応じて、その表示装置１０に表示されている表示画像を撮像し、撮像画像を位置検出装置３０に送信する。受信部３２が撮像画像を受信すると、位置情報検出部３４は、撮像画像に含まれる画像ＩＤを検出し、画像ＩＤに対応する位置情報を位置情報記憶部３１から読み出す。次に、位置検出装置３０は、撮像画像を送信した携帯端末２０に対して、例えば「１０メートル前に進み、右に曲がって２０メートル進んでください」等の文字情報を送信する。これに応じてユーザが移動し、移動先の位置に設置してある表示装置１０が表示している表示画像を、携帯端末２０が撮像して位置検出装置３０に送信すると、ユーザに対して定められた得点が付与される、といったような制御を行うことができる。
【００２７】
また、例えば、携帯端末２０が備えるＧＰＳ機能によって取得する位置情報と、本実施形態によって取得する位置情報とを連携させることもできる。例えば、携帯端末２０がＧＰＳ機能によって取得する位置情報が、表示装置１０が設置された位置の近くであることを検知した場合、その表示装置１０によって表示される表示画像を撮像して位置検出装置３０に送信することでなんらかの特典を受けることができること等の情報を、携帯端末２０に通知することができる。
また、携帯端末２０を使用するユーザの趣味嗜好や住所等の属性情報が含まれるユーザ情報を、ユーザを識別するユーザＩＤに対応付けて予め位置検出装置３０に登録、記憶させておき、携帯端末２０が位置検出装置３０に撮像画像を送信する際にユーザＩＤを送信して、ユーザ情報に応じた情報を提供するようにしてもよい。
【００２８】
なお、表示装置１０によって表示される表示画像は、時間によって異なる識別画像が含まれる表示画像を表示させることができる。すなわち、表示装置１０毎、かつ視野角方向毎、かつ時間毎に異なる識別画像が含まれる表示画像を表示させることができる。例えば、図１１は、位置情報記憶部３１に、時間に応じた位置情報が対応付けられて記憶されるデータ例を示す図である。ここでは、位置情報記憶部３１には、定められた時間毎に表示される表示画像毎に、位置情報が対応付けられて記憶されている。表示装置１０は、このように定められた時間に応じて、表示画像を表示する。このようにすれば、携帯端末２０から送信される撮像画像に複数の表示画像が含まれる場合、その撮像画像が撮像された時間の範囲を特定することができる。例えば、携帯端末２０から送信される撮像画像に、画像ＩＤが「１」である表示画像と画像ＩＤが「２」である表示画像が含まれる場合、その撮像画像は、画像ＩＤが「１」である表示画像が表示される時間の範囲と、画像ＩＤが「２」である表示画像が表示される時間の範囲とが重なる時間の範囲において撮像されたものと判定できる。ここでは、画像ＩＤが「１」である表示画像が表示される時間の範囲が「９：００〜１７：００」であり、画像ＩＤが「２」である表示画像が表示される時間の範囲が「３：００〜１２：００」であるから、９：００〜１２：００の範囲において撮像されたものと判定できる。このようにすれば、ユーザが携帯端末２０を持ってその位置にいたことを判定できるのみならず、ユーザが携帯端末２０を持ってその位置にいた時間を特定することが可能となる。
【００２９】
また、位置情報検出部３４は、入力部３３に入力された複数の撮像画像が撮像された撮像時刻の差が、所定の閾値を超える場合、位置情報を検出しないようにすることができる。すなわち、上述したように、異なる表示画像が撮像された複数の撮像画像が入力部３３に入力されると、位置情報検出部３４は、その複数の表示画像に対応する複数の画像ＩＤを検出し、画像ＩＤに対応する位置情報が示す範囲が重なる部分を検出する。しかし、例えば複数の撮像画像が数分〜数十分を超えるような間隔で撮像されていれば、その撮像画像がその位置で撮像されたものでない可能性があると考えられる。そこで、位置情報検出部３４は、入力部３３に入力された複数の撮像画像の属性情報から、その撮像画像の撮像時刻を読み出し、読み出した撮像時刻を比較して、撮像時刻の差が所定の閾値（例えば、数分〜数十分）を超える場合、エラーとして処理を終了し、位置情報を検出しないようにすることができる。これにより、本実施形態により算出される位置情報に応じた位置において、携帯端末２０が表示画像を撮像したことをより確実に判定することができる。
【００３０】
また、本実施形態では、位置情報として表示装置１０によって表示される表示画像を視認、撮像可能な矩形の範囲の４つの頂点の位置を示したが、表示装置１０によって表示される表示画像を視認、撮像可能な範囲を特定できるものであれば、矩形の頂点の位置でなくてもよい。あるいは、位置情報は、表示装置１０によって表示される表示画像を視認、撮像可能な三次元方向の範囲を示すものであってもよい。
また、本実施形態では、表示画像に含まれる識別画像である二次元バーコードが、その表示画像を識別する画像ＩＤを示す例を示したが、位置情報自体を二次元バーコード化し、表示画像に含ませるようにしてもよい。
【００３１】
また、本実施形態では、表示装置１０が、ネットワーク５を介して表示画像を受信する例を示したが、予め表示画像をＣＤ（Compact Disc）等の記憶媒体に記憶させ、表示装置１０はこのような記憶媒体から表示画像を読み出して表示するようにしてもよい。
また、表示装置１０には、識別画像が含まれる表示画像が予め記憶されていてもよいが、表示装置１０は、識別画像と、識別画像が含まれない表示画像とを予め記憶しておき、表示画像を表示させる処理とは別に、識別画像を表示画像に重畳させて表示させるようにしてもよい。これによれば、例えば表示装置１０が表示させる表示画像の内容に関わらず、時間毎に識別画像を変更させることができる。
【００３２】
なお、本発明における処理部の機能を実現するためのプログラムをコンピュータ読み取り可能な記録媒体に記録して、この記録媒体に記録されたプログラムをコンピュータシステムに読み込ませ、実行することにより位置検出を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００３３】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【００３４】
１０…表示装置、２０…携帯端末、３０…位置検出装置、３１…位置情報記憶部、３３…入力部、３４…位置情報検出部
【図１】
2013054010.tif 000003
【図２】
2013054010.tif 000004
【図３】
2013054010.tif 000005
【図４】
2013054010.tif 000006
【図５】
2013054010.tif 000007
【図６】
2013054010.tif 000008
【図７】
2013054010.tif 000009
【図８】
2013054010.tif 000010
【図９】
2013054010.tif 000011
【図１０】
2013054010.tif 000012
【図１１】
2013054010.tif 000013